(57)【特許請求の範囲】
【請求項１】
圧縮機（２）、給湯用熱交換器（３）、減圧手段（４）、熱源用熱交換器（５）を冷媒が循環可能に接続してなり、前記給湯用熱交換器（３）において前記冷媒との熱交換により水を沸き上げ給湯用の湯とするヒートポンプ装置（１）と、
前記給湯用熱交換器（３）に流入する水の流量を調節する第１流量調節手段（１６ａ）と、
内部に給湯用の湯を貯える貯湯タンク（１０）と、
給湯を行なうときには、前記給湯用熱交換器（３）からの湯に混合する前記貯湯タンク（１０）からの湯の流量を調節する第２流量調節手段（１７）と、
前記ヒートポンプ装置（１）による沸き上げ運転の制御、前記第１流量調節手段（１６ａ）による流量の制御、および前記第２流量制御手段（１７）による流量の制御を行なう制御手段（１００）とを備えるヒートポンプ式給湯装置であって、
前記制御手段（１００）は、
前記給湯用熱交換器（３）で供給される熱量の上昇に伴ない前記給湯用熱交換器（３）に流入する水の流量が増加するように、前記第１流量調節手段（１６ａ）を制御し、
前記熱量が所定値以上となった場合に、前記熱量が前記所定値未満の場合より前記貯湯タンク（１０）からの湯の流量が減少するように、前記第２流量調節手段（１７）を制御することを特徴とするヒートポンプ式給湯装置。
【請求項２】
前記制御手段（１００）は、前記給湯用熱交換器（３）に流入する水の温度、前記給湯用熱交換器（３）により沸き上げられた湯の温度、および前記給湯用熱交換器（３）に流入する水の流量もしくはその関連値に基づいて、前記熱量を算出することを特徴とする請求項１に記載のヒートポンプ式給湯装置。
【請求項３】
前記制御手段（１００）は、外気温度、給湯設定温度、およびそれらの少なくともいずれかの関連値、の少なくとも１つ以上を用いて、前記熱量を推定算出することを特徴とする請求項１に記載のヒートポンプ式給湯装置。
【請求項４】
圧縮機（２）、給湯用熱交換器（３）、減圧手段（４）、熱源用熱交換器（５）を冷媒が循環可能に接続してなり、前記給湯用熱交換器（３）において前記冷媒との熱交換により水を沸き上げ給湯用の湯とするヒートポンプ装置（１）と、
前記給湯用熱交換器（３）に流入する水の流量を調節する第１流量調節手段（１６ａ）と、
内部に給湯用の湯を貯える貯湯タンク（１０）と、
給湯を行なうときには、前記給湯用熱交換器（３）からの湯に混合する前記貯湯タンク（１０）からの湯の流量を調節する第２流量調節手段（１７）と、
前記ヒートポンプ装置（１）による沸き上げ運転の制御、前記第１流量調節手段（１６ａ）による流量の制御、および前記第２流量制御手段（１７）による流量の制御を行なう制御手段（１００）とを備えるヒートポンプ式給湯装置であって、
前記制御手段（１００）は、
前記給湯用熱交換器（３）で供給される熱量の上昇に伴ない前記給湯用熱交換器（３）に流入する水の流量が増加するように、前記第１流量調節手段（１６ａ）を制御し、
前記ヒートポンプ装置（１）による沸き上げ運転を開始してから所定時間経過後は、前記所定時間経過する前より前記貯湯タンク（１０）からの湯の流量が減少するように、前記第２流量調節手段（１７）を制御することを特徴とするヒートポンプ式給湯装置。
【請求項５】
前記制御手段（１００）は、外気温度もしくはその関連値に基づいて、前記所定時間を変更することを特徴とする請求項４に記載のヒートポンプ式給湯装置。
【請求項６】
前記第１流量調節手段（１６ａ）は、吐出した水を前記給湯用熱交換器（３）に圧送するポンプ手段（１６ａ）であることを特徴とする請求項１ないし請求項５のいずれか１つに記載のヒートポンプ式給湯装置。
【請求項７】
前記第１流量調節手段（１２ａ）は、開度を調節して前記給湯用熱交換器（３）に流入する水の流量を調節する流量調節弁（１２ａ）であることを特徴とする請求項１ないし請求項５のいずれか１つに記載のヒートポンプ式給湯装置。
【請求項８】
前記冷媒は二酸化炭素であり、前記圧縮機（２）により臨界圧以上に加圧されることを特徴とする請求項１ないし請求項７のいずれか1つに記載のヒートポンプ式給湯装置。
【請求項９】
圧縮機（２）、給湯用熱交換器（３）、減圧手段（４）、熱源用熱交換器（５）を冷媒が循環可能に接続してなり前記給湯用熱交換器（３）において前記冷媒との熱交換により水を沸き上げ給湯用の湯とするヒートポンプ装置（１）と、前記給湯用熱交換器（３）に流入する水の流量を調節する第１流量調節手段（１６ａ）と、内部に給湯用の湯を貯える貯湯タンク（１０）と、給湯を行なうときには前記給湯用熱交換器（３）からの湯に混合する前記貯湯タンク（１０）からの湯の流量を調節する第２流量調節手段（１７）とを備えるヒートポンプ式給湯装置において、
前記ヒートポンプ装置（１）による沸き上げ運転の制御、前記第１流量調節手段（１６ａ）による流量の制御、および前記第２流量制御手段（１７）による流量の制御を行なうヒートポンプ式給湯装置用制御装置であって、
前記給湯用熱交換器（３）で供給される熱量の上昇に伴ない前記給湯用熱交換器（３）に流入する水の流量が増加するように、前記第１流量調節手段（１６ａ）を制御し、
前記熱量が所定値以上となった場合に、前記熱量が前記所定値未満の場合より前記貯湯タンク（１０）からの湯の流量が減少するように、前記第２流量調節手段（１７）を制御することを特徴とするヒートポンプ式給湯装置用制御装置。
【請求項１０】
圧縮機（２）、給湯用熱交換器（３）、減圧手段（４）、熱源用熱交換器（５）を冷媒が循環可能に接続してなり前記給湯用熱交換器（３）において前記冷媒との熱交換により水を沸き上げ給湯用の湯とするヒートポンプ装置（１）と、前記給湯用熱交換器（３）に流入する水の流量を調節する第１流量調節手段（１６ａ）と、内部に給湯用の湯を貯える貯湯タンク（１０）と、給湯を行なうときには前記給湯用熱交換器（３）からの湯に混合する前記貯湯タンク（１０）からの湯の流量を調節する第２流量調節手段（１７）とを備えるヒートポンプ式給湯装置において、
前記ヒートポンプ装置（１）による沸き上げ運転の制御、前記第１流量調節手段（１６ａ）による流量の制御、および前記第２流量制御手段（１７）による流量の制御を行なうヒートポンプ式給湯装置用制御装置であって、
前記給湯用熱交換器（３）で供給される熱量の上昇に伴ない前記給湯用熱交換器（３）に流入する水の流量が増加するように、前記第１流量調節手段（１６ａ）を制御し、
前記ヒートポンプ装置（１）による沸き上げ運転を開始してから所定時間経過後は、前記所定時間経過する前より前記貯湯タンク（１０）からの湯の流量が減少するように、前記第２流量調節手段（１７）を制御することを特徴とするヒートポンプ式給湯装置用制御装置。
【発明の詳細な説明】
【技術分野】
【０００１】
本発明は、ヒートポンプにより加熱した湯と貯湯タンクに貯留した湯とを混合して出湯可能な給湯装置に関する。
【背景技術】
【０００２】
従来技術として、下記特許文献１に開示された給湯装置がある。この給湯装置は、ヒートポンプと貯湯タンクとを備えており、使用側端末へ給湯するときに、ヒートポンプが沸き上げた湯の温度が所定温度に達しない場合には、貯湯タンク内の所定温度より高温の湯を混合手段により混合して出湯している。このとき、混合手段による混合後の湯温をフィードバックして貯湯タンクからの流量を制御している。
【特許文献１】特開２００５−１２１２８４号公報
【発明の開示】
【発明が解決しようとする課題】
【０００３】
しかしながら、上記従来技術の給湯装置では、貯湯タンクから出湯する流量を混合後湯温に基づいて制御しているため、端末側における出湯湯量が安定し難いという問題がある。
【０００４】
例えば、ヒートポンプの起動直後等のようにヒートポンプの加熱能力が充分に上昇していないときには、混合手段においてヒートポンプが沸き上げた湯に貯湯タンクからの湯が多量に混合される。その後、ヒートポンプの加熱能力が上昇してくると、混合手段においてヒートポンプが沸き上げた湯に混合される貯湯タンクからの湯の流量が急激に抑制されるため、端末における出湯湯量が急激に細くなる場合がある。
【０００５】
これに対し、本発明者らは、上記問題点の原因は、ヒートポンプの加熱能力が充分に上昇していないときに低温の湯を多量に沸き上げることであると考え、ヒートポンプの加熱能力の上昇に合わせてヒートポンプ装置の熱交換器を流れる水流量を増加させる給湯装置について鋭意検討を行なった。
【０００６】
本発明者らが試作した給湯装置では、ヒートポンプの加熱能力が充分に上昇していない段階から、ヒートポンプが沸き上げる湯温を高温とすることが可能であり、ヒートポンプの加熱能力が上昇したときの端末における出湯湯量の確保が容易であることを確認した。ところが、ヒートポンプの加熱能力が充分に上昇していない段階での端末における出湯湯量が充分に確保できない場合があるという問題があることを見出した。
【０００７】
そして、この問題は、上記従来技術の給湯装置と同様に、貯湯タンクからの湯の流量制御を混合後の湯温に基づいて行なったため、ヒートポンプの加熱能力が充分に上昇しておらず沸き上げ湯量が少ない場合であっても、沸き上げる湯温が高温であり貯湯タンクから湯の補充が充分に行なわれないことに起因することを見出した。
【０００８】
換言すれば、混合後の湯温に基づいて貯湯タンクからの湯の流量を制御するのではなく、ヒートポンプの加熱能力、すなわちヒートポンプにより供給される熱量に基づいて貯湯タンクからの湯の流量を制御すれば、端末における出湯湯量の更なる安定化が可能であることを見出した。
【０００９】
本発明は、上記点に鑑みてなされたものであり、端末への出湯湯量の更なる安定化が可能なヒートポンプ式給湯装置およびヒートポンプ式給湯装置用制御装置を提供することを目的とする。
【課題を解決するための手段】
【００１０】
上記目的を達成するため、請求項１に記載の発明では、
圧縮機（２）、給湯用熱交換器（３）、減圧手段（４）、熱源用熱交換器（５）を冷媒が循環可能に接続してなり、給湯用熱交換器（３）において冷媒との熱交換により水を沸き上げ給湯用の湯とするヒートポンプ装置（１）と、
給湯用熱交換器（３）に流入する水の流量を調節する第１流量調節手段（１６ａ）と、
内部に給湯用の湯を貯える貯湯タンク（１０）と、
給湯を行なうときには、給湯用熱交換器（３）からの湯に混合する貯湯タンク（１０）からの湯の流量を調節する第２流量調節手段（１７）と、
ヒートポンプ装置（１）による沸き上げ運転の制御、第１流量調節手段（１６ａ）による流量の制御、および第２流量制御手段（１７）による流量の制御を行なう制御手段（１００）とを備えるヒートポンプ式給湯装置であって、
制御手段（１００）は、
給湯用熱交換器（３）で供給される熱量の上昇に伴ない給湯用熱交換器（３）に流入する水の流量が増加するように、第１流量調節手段（１６ａ）を制御し、
給湯用熱交換器（３）で供給される熱量が所定値以上となった場合に、給湯用熱交換器（３）で供給される熱量が前記所定値未満の場合より貯湯タンク（１０）からの湯の流量が減少するように、第２流量調節手段（１７）を制御することを特徴としている。
【００１１】
これによると、給湯用熱交換器（３）で供給される熱量が増加するに伴ない、第１流量調節手段（１６ａ）により給湯用熱交換器（３）を通過する水流量を増加できるので、給湯用熱交換器（３）による沸き上げ温度を高温で安定させることが可能である。このような沸き上げ運転では、ヒートポンプ装置（１）の加熱能力が充分に上昇していない給湯用熱交換器（３）で供給できる熱量が所定値未満の場合には、沸き上げ湯量は少なく、ヒートポンプ装置（１）の加熱能力が充分に上昇して給湯用熱交換器（３）で供給できる熱量が所定値以上の場合には、沸き上げ湯量は多くなる。
【００１２】
これに対し、第２流量調節手段（１７）は、給湯用熱交換器（３）で供給される熱量が所定値以上となった場合に、給湯用熱交換器（３）で供給される熱量が所定値未満の場合より貯湯タンク（１０）からの湯の流量を減少する。したがって、給湯用熱交換器（３）で供給できる熱量が変化しても、給湯用熱交換器（３）からの湯と貯湯タンク（１０）からの湯との混合量（合計量）を変化させ難い。このようにして、出湯温度を安定させつつ、出湯湯量の更なる安定化が可能となる。
【００１３】
また、請求項２に記載の発明では、請求項１に記載の発明において、制御手段（１００）は、給湯用熱交換器（３）に流入する水の温度、給湯用熱交換器（３）により沸き上げられた湯の温度、および給湯用熱交換器（３）に流入する水の流量もしくはその関連値に基づいて、給湯用熱交換器（３）で供給される熱量を算出することを特徴としている。
【００１４】
これによると、給湯用熱交換器（３）で供給される実熱量を精度良く算出することができる。
【００１５】
また、請求項３に記載の発明では、請求項１に記載の発明において、制御手段（１００）は、外気温度、給湯設定温度、およびそれらの少なくともいずれかの関連値の少なくとも１つ以上を用いて、給湯用熱交換器（３）で供給される熱量を推定算出することを特徴としている。
【００１６】
これによると、給湯用熱交換器（３）で供給される実熱量を算出する必要がないので、制御をシンプルにすることが可能である。
【００１７】
また、請求項４に記載の発明では、
圧縮機（２）、給湯用熱交換器（３）、減圧手段（４）、熱源用熱交換器（５）を冷媒が循環可能に接続してなり、給湯用熱交換器（３）において冷媒との熱交換により水を沸き上げ給湯用の湯とするヒートポンプ装置（１）と、
給湯用熱交換器（３）に流入する水の流量を調節する第１流量調節手段（１６ａ）と、
内部に給湯用の湯を貯える貯湯タンク（１０）と、
給湯を行なうときには、給湯用熱交換器（３）からの湯に混合する貯湯タンク（１０）からの湯の流量を調節する第２流量調節手段（１７）と、
ヒートポンプ装置（１）による沸き上げ運転の制御、第１流量調節手段（１６ａ）による流量の制御、および第２流量制御手段（１７）による流量の制御を行なう制御手段（１００）とを備えるヒートポンプ式給湯装置であって、
制御手段（１００）は、
給湯用熱交換器（３）で供給される熱量の上昇に伴ない給湯用熱交換器（３）に流入する水の流量が増加するように、前記第１流量調節手段（１６ａ）を制御し、
ヒートポンプ装置（１）による沸き上げ運転を開始してから所定時間経過後は、所定時間経過する前より貯湯タンク（１０）からの湯の流量が減少するように、第２流量調節手段（１７）を制御することを特徴としている。
【００１８】
これによると、給湯用熱交換器（３）で供給される熱量が増加するに伴ない、第１流量調節手段（１６ａ）により給湯用熱交換器（３）を通過する水流量を増加できるので、給湯用熱交換器（３）による沸き上げ温度を高温で安定させることが可能である。このような沸き上げ運転では、ヒートポンプ装置（１）の加熱能力が充分に上昇していない給湯用熱交換器（３）で供給できる熱量が所定値未満の場合には、沸き上げ湯量は少なく、ヒートポンプ装置（１）の加熱能力が充分に上昇して給湯用熱交換器（３）で供給できる熱量が所定値以上の場合には、沸き上げ湯量は多くなる。
【００１９】
これに対し、第２流量調節手段（１７）は、ヒートポンプ装置（１）による沸き上げ運転を開始してから所定時間経過して給湯用熱交換器（３）で供給できる熱量が比較的増加した場合に、給湯用熱交換器（３）で供給できる熱量が比較的少ない所定時間経過する前より貯湯タンク（１０）からの湯の流量を減少する。したがって、ヒートポンプ装置（１）による沸き上げ運転を開始してからの時間に応じて給湯用熱交換器（３）で供給できる熱量が変化しても、給湯用熱交換器（３）からの湯と貯湯タンク（１０）からの湯との混合量（合計量）を変化させ難い。このようにして、出湯温度を安定させつつ、出湯湯量の更なる安定化が可能となる。
【００２０】
また、請求項５に記載の発明では、請求項４に記載の発明において、制御手段（１００）は、外気温度もしくはその関連値に基づいて、前記所定時間を変更することを特徴としている。
【００２１】
これによると、外気温度等の変化に伴うヒートポンプ装置（１）の加熱能力の上昇傾向の変化、すなわち給湯用熱交換器（３）で供給できる熱量の増加傾向の変化に、精度良く対応することが可能である。
【００２２】
また、請求項６に記載の発明のように、第１流量調節手段（１６ａ）は、吐出した水を給湯用熱交換器（３）に圧送するポンプ手段（１６ａ）とすることができる。
【００２３】
また、請求項７に記載の発明のように、第１流量調節手段（１２ａ）は、開度を調節して給湯用熱交換器（３）に流入する水の流量を調節する流量調節弁（１２ａ）とすることができる。
【００２４】
また、請求項８に記載の発明では、ヒートポンプ装置（１）の冷媒は二酸化炭素であり、圧縮機（２）により臨界圧以上に加圧されることを特徴としている。
【００２５】
これによると、臨界圧以上に昇圧された二酸化炭素冷媒により、給湯用熱交換器（３）において水を加熱することができる。臨界圧以上に昇圧された冷媒は水と熱交換しても凝縮しないため、給湯用熱交換器（３）の全域において冷媒と水との温度差を確保し易い。したがって、熱交換効率を向上できるとともに高温の湯を得ることが容易である。
【００２６】
また、請求項９に記載の発明によれば、請求項１に記載の発明と同様に、給湯用熱交換器（３）で供給される熱量が増加するに伴ない、第１流量調節手段（１６ａ）により給湯用熱交換器（３）を通過する水流量を増加できるので、給湯用熱交換器（３）による沸き上げ温度を高温で安定させることが可能である。このような沸き上げ運転では、ヒートポンプ装置（１）の加熱能力が充分に上昇していない給湯用熱交換器（３）で供給できる熱量が所定値未満の場合には、沸き上げ湯量は少なく、ヒートポンプ装置（１）の加熱能力が充分に上昇して給湯用熱交換器（３）で供給できる熱量が所定値以上の場合には、沸き上げ湯量は多くなる。
【００２７】
これに対し、第２流量調節手段（１７）は、給湯用熱交換器（３）で供給される熱量が所定値以上となった場合に、給湯用熱交換器（３）で供給される熱量が所定値未満の場合より貯湯タンク（１０）からの湯の流量を減少する。したがって、給湯用熱交換器（３）で供給できる熱量が変化しても、給湯用熱交換器（３）からの湯と貯湯タンク（１０）からの湯との混合量（合計量）を変化させ難い。このようにして、出湯温度を安定させつつ、出湯湯量の更なる安定化が可能となる。
【００２８】
また、請求項１０に記載の発明によれば、請求項４に記載の発明と同様に、給湯用熱交換器（３）で供給される熱量が増加するに伴ない、第１流量調節手段（１６ａ）により給湯用熱交換器（３）を通過する水流量を増加できるので、給湯用熱交換器（３）による沸き上げ温度を高温で安定させることが可能である。このような沸き上げ運転では、ヒートポンプ装置（１）の加熱能力が充分に上昇していない給湯用熱交換器（３）で供給できる熱量が所定値未満の場合には、沸き上げ湯量は少なく、ヒートポンプ装置（１）の加熱能力が充分に上昇して給湯用熱交換器（３）で供給できる熱量が所定値以上の場合には、沸き上げ湯量は多くなる。
【００２９】
これに対し、第２流量調節手段（１７）は、ヒートポンプ装置（１）による沸き上げ運転を開始してから所定時間経過して給湯用熱交換器（３）で供給できる熱量が比較的増加した場合に、給湯用熱交換器（３）で供給できる熱量が比較的少ない所定時間経過する前より貯湯タンク（１０）からの湯の流量を減少する。したがって、ヒートポンプ装置（１）による沸き上げ運転を開始してからの時間に応じて給湯用熱交換器（３）で供給できる熱量が変化しても、給湯用熱交換器（３）からの湯と貯湯タンク（１０）からの湯との混合量（合計量）を変化させ難い。このようにして、出湯温度を安定させつつ、出湯湯量の更なる安定化が可能となる。
【００３０】
なお、上記各手段に付した括弧内の符号は、後述する実施形態記載の具体的手段との対応関係を示す一例である。
【発明を実施するための最良の形態】
【００３１】
以下、本発明の実施の形態を図に基づいて説明する。
【００３２】
（第１の実施形態）
図１は、本発明を適用した第１の実施形態におけるヒートポンプ式給湯装置の概略構成を示す模式図である。
【００３３】
１０は耐食性に優れた金属製（例えばステンレス製）の貯湯タンクであり、外周部に図示しない断熱材が配置されており、給湯用の湯を長時間に渡って保温することができるようになっている。本実施形態の貯湯タンク１０は縦長形状であり、その底面には導入口１１が設けられ、この導入口１１には貯湯タンク１内に水道水を導入する給水経路である導入管１２が接続されている。
【００３４】
貯湯タンク１０の下部には、貯湯タンク１０内の水を吸入するための吸入口１３が設けられ、貯湯タンク１０の上部には、貯湯タンク１内に湯を吐出するための吐出口１４が設けられている。
【００３５】
吸入口１３と吐出口１４とは循環回路１６で接続されており、循環回路１６の一部はヒートポンプ装置１内に配置されている。循環回路１６にはヒートポンプ装置１の内部もしくは外部に循環ポンプ１６ａが設けられている。
【００３６】
循環回路１６のヒートポンプ装置１内に配置された部分には、給湯用熱交換器３が設けられており、吸入口１３から吸入した貯湯タンク１０内の下部の水を高温冷媒との熱交換により加熱して沸き上げて湯とし、吐出口１４から貯湯タンク１０内に戻すことができるようになっている。
【００３７】
ヒートポンプ装置１は、圧縮機２、給湯用熱交換器３、可変式の減圧装置（本発明における減圧手段に相当）４、蒸発器（本発明における熱源用熱交換器に相当）５、アキュムレータ６が順次環状に冷媒配管１ａにより接続されて形成されたものである。冷媒配管１ａ内を循環する冷媒として二酸化炭素（ＣＯ２）を使用している。
【００３８】
圧縮機２は、内蔵される図示しない電動モータによって駆動され、アキュムレータ６より吸入した気相冷媒を臨界圧力以上に圧縮して吐出する。なお、圧縮機２は、後述する制御装置１００の図示しないヒートポンプ制御装置によって稼働およびその冷媒吐出量（回転数）が制御されるようになっている。
【００３９】
給湯用熱交換器３は、圧縮機２より吐出された高温冷媒（ホットガス）と、後述する貯湯タンク１０内から供給される給湯用水との間で熱交換し、放熱作用によって給湯用水を加熱して湯とするものである。
【００４０】
この給湯用熱交換器３は、冷媒が流れる冷媒流路３ａと、給湯用水が流れる給湯用水流路３ｂとを有し、冷媒流路３ａを流れる冷媒の流れ方向と給湯用水流路３ｂを流れる給湯用水の流れ方向とが対向するように構成されている。
【００４１】
なお、給湯用熱交換器３を流れる二酸化炭素冷媒は、圧縮機２で臨界圧力以上に加圧されているので、給湯用熱交換器３を流通する給湯用水に放熱して温度低下しても凝縮することはない。したがって、給湯用熱交換器３の全域において冷媒と水との温度差を確保し易く、熱交換効率を向上できるとともに高温の湯を得ることが容易である。
【００４２】
減圧装置４は、給湯用熱交換器３から流出する冷媒を弁開度に応じて減圧する減圧手段であり、具体的には弁開度を小さくするほど大きく減圧を行なうようになっている。減圧装置４は、後述する制御装置１００のヒートポンプ制御装置によって弁開度が電気的に制御されるようになっている。
【００４３】
蒸発器５は、図示しないファンによって送風される外気から吸熱して、減圧装置４で減圧された冷媒を蒸発させる熱源用熱交換器である。蒸発器５の空気流れ上流側には、外気温度を検出する外気温検出手段としての温度サーミスタ７が配設されている。
【００４４】
アキュムレータ６は、蒸発器５より流出する冷媒を気液分離して、気相冷媒のみを圧縮機２に吸入させるとともに、サイクル中の余剰冷媒を液冷媒として蓄える気液分離器である。
【００４５】
前述した循環回路１６のうち、ヒートポンプ装置１給湯用熱交換器３より下流側部位は、ヒートポンプ装置１により沸き上げられた湯を貯湯タンク１０内の上部に供給するための供給配管１８となっている。
【００４６】
循環回路１６には、給湯用熱交換器３の下流側において循環回路１６の供給配管１８から分岐するように給湯配管１９が接続している。そして、供給配管１８の給湯配管１９分岐接続点には、ヒートポンプ装置１で沸き上げた湯の流通経路を供給配管１８の下流端部をなす配管１８ａ方向もしくは給湯配管１９方向に切り替える切替手段（切替バルブ）としての機能を有するバルブ１７が設けられている。
【００４７】
貯湯タンク１０上部の吐出口１４は、貯湯タンク１０内の上部の湯を導出するための導出口２０としての機能も有しており、この吐出口１４兼導出口２０に接続する配管１８ａは、貯湯タンク１０内の上部の湯を導出するための給湯配管でもある。
【００４８】
前述のバルブ１７は、ヒートポンプ装置１で沸き上げた湯の流通経路を給湯配管１９方向に切り替えたときには、給湯用熱交換器３から供給される湯に対して混合される、貯湯タンク１０の導出口２０から導出される湯の量の割合を制御するための混合バルブとしても機能するようになっている。
【００４９】
すなわち、バルブ１７は、本実施形態における給湯用熱交換器３からの湯に混合する貯湯タンク１０からの湯の流量を調節する第２流量調節手段に相当する。ちなみに、前述のポンプ１６ａは、本実施形態において吐出した水を給湯用熱交換器３に圧送するポンプ手段であり、給湯用熱交換器３に流入する水の流量を調節する第１流量調節手段に相当する。
【００５０】
給湯配管１９には、導入管１２から分岐した給水配管２８の下流端が接続している。そして、この接続点には、給湯配管１９を流れる湯の量と給水配管２８を介して供給される水の量の比率を制御し、下流側にある風呂、シャワー、カラン等の使用側端末に送る湯の温度を設定温度とするための混合バルブ２９が設けられている。
【００５１】
貯湯タンク１の外壁面には、図示しない複数のサーミスタ（水位サーミスタ）が縦方向に間隔をあけて配置され、貯湯タンク１内の各水位レベルにおける温度情報を後述する制御装置１００に出力するようになっている。
【００５２】
また、各配管経路にはサーミスタが適宜配設され、各配管を流れる冷媒、湯もしくは水の温度情報を後述する制御装置１００に出力するようになっている。
【００５３】
循環回路１６の給湯用熱交換器３給湯用水流路３ｂより上流側には、ポンプ１６ａにより給湯用熱交換器３給湯用水流路３ｂに供給される（流入する）水の温度を検出する給水温検出手段（流入水温検出手段）としての温度サーミスタ３０が設けられている。
【００５４】
また、循環回路１６の給湯用熱交換器３給湯用水流路３ｂより下流側かつバルブ１７より上流側には、給湯用熱交換器３を通過した水の温度を検出する水温検出手段である温度サーミスタ３１が設けられている。温度サーミスタ３１は、給湯用熱交換器３により沸き上げられた湯の温度を検出する沸き上げ温度検出手段であると言える。
【００５５】
また、給湯配管１９のバルブ１７の下流側かつ混合バルブ２９より上流側には、バルブ１７により混合された湯の温度を検出する水温検出手段である温度サーミスタ３２が設けられている。
【００５６】
さらに、給湯配管１９の混合バルブ２９より下流側には、混合バルブ２９により水を混合された湯の温度を検出する水温検出手段である温度サーミスタ３３が設けられている。
【００５７】
また、給湯配管１９には図示しない流量カウンタが設けられており、給湯配管１９を流れる湯の流量情報を後述する制御装置１００に出力するようになっている。
【００５８】
図１中の１００は制御手段である制御装置であり、貯湯タンク１０ユニットを制御する貯湯タンク制御装置（貯湯タンクＥＣＵ）とヒートポンプ装置１を制御するヒートポンプ制御装置（ヒートポンプＥＣＵ）とにより構成されている。また、図１中の１１０は操作手段をなす操作盤であり、操作盤１１０には各種操作スイッチや表示部が設けられている。操作盤１１０では使用側端末における給湯温度を設定できるようになっており、本実施形態における給湯温度設定手段である。
【００５９】
制御装置１００は、サーミスタ７、３０、３１、３２、３３および図示しない他のサーミスタからの温度情報、図示しない流量カウンタからの流量情報、および操作盤１１０に設けられた操作スイッチからの信号等（給湯設定温度情報等）に基づいて、後述する手順にしたがってヒートポンプ装置１、ポンプ１６ａ、各バルブ１７、２９等を制御するように構成されている。ヒートポンプ装置１の制御では、具体的には、可変式減圧装置４の開度や圧縮機２の周波数（回転数）を制御するようになっている。
【００６０】
次に、上記構成に基づき、本実施形態のヒートポンプ式給湯装置の作動について説明する。
【００６１】
本実施形態のヒートポンプ式給湯装置では、制御装置１００が、電力コスト等に基づいて定まる所定時間帯（例えば電力供給契約に基づく電力コストが安価な深夜時間帯）に、過去の使用実績等に基づく所定熱量を貯湯タンク１０内に貯留するようにヒートポンプ装置１を運転する。
【００６２】
このとき、制御装置１００は、サーミスタ３１の検出温度が貯湯目標温度となるようにヒートポンプ装置１の沸き上げ運転制御を行なうとともにポンプ１６ａの循環流量制御を行なう。また、バルブ１７は、ヒートポンプ装置１で沸き上げた湯の流通経路を配管１８ａ方向とする。
【００６３】
これにより、貯湯タンク１０内の下方部の水がヒートポンプ装置１の給湯用熱交換器３で加熱されて沸き上げられ、貯湯タンク１０内の上部側から貯えられる。
【００６４】
制御装置１００は、使用側端末において出湯操作がなされると、使用側端末へ給湯するための給湯制御を行なう。図２は、制御装置１００の給湯時の概略制御動作を示すフローチャートである。
【００６５】
給湯装置に電力供給されているときには、制御装置１００は、図２に示すように、使用側端末において出湯操作がなされたか否かを、給湯配管１９に設けた図示しない流量カウンタからの流量情報に基づいて監視している（ステップＳ２１０）。
【００６６】
使用側端末における出湯の検出は、流量カウンタからの流量情報によるものに限定されず、例えばフロースイッチ等による流れ情報によるものであってもよい。また、検出位置も給湯配管１９に限定されず、例えば、導入管１２で検出するものであってもよい。出湯検出としては、上記以外に、給湯配管１９内の温度情報もしくは圧力情報、貯湯タンク１０内の熱量情報や圧力情報等に基づいて行なうものであってもよい。
【００６７】
ステップＳ２１０において、出湯を検出した場合には、ヒートポンプ装置１を運転して給湯用熱交換器３で給湯用水の沸き上げを行なう（ステップＳ２２０）。ステップＳ２２０では、ヒートポンプ装置１が停止しているときには運転を開始し、ヒートポンプ装置１が既に運転されている場合には運転を継続する。なお、ヒートポンプ装置１の運転を開始するときには、ポンプ１６ａの運転も開始する。
【００６８】
ステップＳ２１０において、出湯を検出しなかった場合には、ヒートポンプ装置１の運転を停止する（ステップＳ２３０）。ステップＳ２３０では、ヒートポンプ装置１が運転しているときには運転を停止し、ヒートポンプ装置１が既に停止されている場合には停止状態を継続する。そして、ステップＳ２１０へリターンする。
【００６９】
ステップＳ２２０でヒートポンプ装置１の運転を開始もしくは継続したら、ヒートポンプ装置１の給湯用熱交換器３で冷媒から水に供給される熱量を算出する（ステップＳ２４０）。制御装置１００は、具体的には、下記の数式１に基づいて給湯用熱交換器３で供給される熱量Ｑを算出する。
（数１）
Ｑ＝Ａ×（Ｔ２−Ｔ１）×Ｎ
ここで、Ｔ１は温度サーミスタ３０が検出した給水温度、Ｔ２は温度サーミスタ３１が検出した沸き上げ温度、Ｎはポンプ１６ａの回転数もしくは出力、Ａは定数である。
【００７０】
このように、ステップＳ２４０では、給湯用熱交換器３に流入する水の温度、給湯用熱交換器３により沸き上げられた湯の温度、および給湯用熱交換器３に流入する水の流量の関連値に基づいて、給湯用熱交換器３で供給される熱量を直接算出している。
【００７１】
これによると、給湯用熱交換器３で供給される実熱量を精度良く算出することができ、ヒートポンプ装置１の状態を正確に把握して以降の制御を行なうことができる。
【００７２】
なお、本例では、ポンプ１６ａの回転数もしくは出力を給湯用熱交換器３に流入する水の流量の関連値として用いたが、他の関連値を用いてもよいし、流量カウンタ等を設けて流量を直接検出して用いてもよい。
【００７３】
ステップＳ２４０で供給熱量を算出したら、この熱量に基づいてポンプ１６ａの運転制御を行なう（ステップＳ２５０）。具体的には、ステップＳ２４０で算出した給湯用熱交換器３で供給される熱量の上昇に伴ない、給湯用熱交換器３に流入する水の流量が増加するように、ポンプ１６ａを制御する。これにより、ヒートポンプ装置１で沸き上げられる湯温を給湯設定温度に近似した温度に安定させることができる。
【００７４】
ヒートポンプ装置１の沸き上げ湯温は、比較的低い温度とした方がヒートポンプ装置１を高効率で運転することができ好ましい。例えば、沸き上げ湯温は、給湯設定温度より若干低い温度（例えば設定温度−５℃）であってもよいし、給湯設定温度と同等もしくは給湯設定温度より若干高い程度に抑制した温度（例えば設定温度＋５℃）であってもよい。
【００７５】
ステップＳ２５０を実行したら、ステップＳ２４０で算出した給湯用熱交換器３の供給熱量が所定値以上であるか否か判断する（ステップＳ２６０）。
【００７６】
ステップＳ２６０で、供給熱量が所定値未満であると判断した場合には、バルブ１７を第１モードで制御し（ステップＳ２７０）、供給熱量が所定値以上であると判断した場合には、バルブ１７を第２モードで制御する（ステップＳ２８０）。
【００７７】
ステップＳ２７０で行なうバルブ１７の第１モード制御とは、供給熱量が少ないために湯量が少なくなっている給湯用熱交換器３からの湯に、貯湯タンク１０から比較的多量の湯を混合するように、バルブ１７の開度を調節する制御である。
【００７８】
また、ステップＳ２８０で行なうバルブ１７の第２モード制御とは、第１モード制御時より少量の湯を貯湯タンク１０から混合、もしくは貯湯タンク１０から混合停止するように、バルブ１７の開度を調節する制御である。
【００７９】
ステップＳ２７０もしくはＳ２８０が実行されると、給湯配管１９に、給湯用熱交換器３からの湯に貯湯タンク１０からの湯が混合された湯、もしくは給湯用熱交換器３からの湯のみが流れる。
【００８０】
給湯配管１９を流れる湯の温度は、操作盤１１０等において設定された使用側端末における給湯設定温度と同等もしくは給湯設定温度より若干高い温度（例えば設定温度＋５℃）であればよい。ただし、給湯温度と同等温度とするよりも若干高い温度としたほうが、給湯配管１９の下流側において水を混合することで湯温をコントロールし易く、使用側端末への流量を増加することができ好ましい。
【００８１】
また、混合バルブ２９の開度制御も行なわれ、温度サーミスタ３３の検出温度が使用側端末における給湯設定温度となるように制御される。
【００８２】
このように、ステップＳ２７０もしくはＳ２８０を実行したら、ステップＳ２１０へリターンする。
【００８３】
上述の構成および作動によれば、制御装置１００は、給湯用熱交換器３で供給される熱量が増加するに伴ない、給湯用熱交換器３を通過する水流量を増加するようにポンプ１６ａを制御するので、給湯用熱交換器３による沸き上げ温度を比較的高温で安定させることができる。
【００８４】
このような沸き上げ運転を行なっているときには、ヒートポンプ装置１の加熱能力が充分に上昇しておらず給湯用熱交換器３で供給できる熱量が少ない場合には、沸き上げ湯量は少なく、ヒートポンプ装置１の加熱能力が上昇して給湯用熱交換器３で供給できる熱量が増加した場合には、沸き上げ湯量は多くなる。
【００８５】
これに対し、制御装置１００は、給湯用熱交換器３で供給される熱量が所定値未満の場合には、バルブ１７をステップＳ２７０の第１モードで制御して、給湯用熱交換器３からの湯に貯湯タンク１０から比較的多量の湯を混合する。また、給湯用熱交換器３で供給される熱量が所定値以上となった場合には、バルブ１７をステップＳ２８０の第２モードで制御して、第１モード制御より貯湯タンク１０からの湯の流量を減少する。
【００８６】
したがって、給湯用熱交換器３で供給できる熱量が変化しても、給湯用熱交換器３からの湯と貯湯タンク１０からの湯との混合量（合計量）を変化させ難い。このようにして、出湯温度を安定させつつ、出湯湯量を安定化することができる。
【００８７】
図３は、本実施形態のヒートポンプ式給湯装置の作動例を示すグラフである。（ａ）はヒートポンプ装置１の給湯用熱交換器３で沸き上げられる湯の流量、（ｂ）は貯湯タンク１０から混合される湯の流量、（ｃ）は両者の混合後の湯の流量を示している。
【００８８】
図３（ａ）に示すように、起動後の時間経過によるヒートポンプ装置１の加熱能力の上昇に伴ない、ポンプ１６ａは圧送する供給水流量を増加させ、沸き上げ湯量が増加していく。そして、破線で示すステップＳ２６０の所定熱量に対応した沸き上げ流量となったときに、制御装置１００は、バルブ１７の制御を切り替える。
【００８９】
図３（ｂ）に示すように、給湯用熱交換器３で供給される熱量が所定熱量未満の場合には、バルブ１７を第１モードで制御し、給湯用熱交換器３で供給される熱量が所定熱量以上の場合には、バルブ１７を第１モードより混合する流量を絞るように第２モードで制御する。これにより、図３（ｃ）に示すように、混合流量を安定化することができる。
【００９０】
なお、上述の例に限らず、第２モードでは第１モードより貯湯タンク１０からの出湯流量を減少するようにバルブ１７を制御するものであればよく、例えば、図４に示すように、第１モードと第２モードとで段階的に流量減少させるものであってもよい。
【００９１】
また、第１モードの流量および第２モードの流量は、各モード内では一定、徐々に減少、もしくは段階的に減少するものであればよく、例えば、図５に示すように、第１モード、第２モードとも、徐々に減少するものであってもよい。
【００９２】
また、バルブ１７の制御モードを切り替える給湯用熱交換器３における所定熱量は、ヒートポンプ装置１起動後安定化までの中間状態の熱量であればよく、例えば、図６に示すように、ヒートポンプ装置１起動直後の供給熱量としてもかまわない。
【００９３】
図４〜図６に示す作動例においても、各図（ｃ）のように、混合流量を安定化することができる。
【００９４】
（第２の実施形態）
次に、第２の実施形態について、第１の実施形態で用いた図１および図２に基づいて説明する。
【００９５】
本第２の実施形態は、前述の第１の実施形態と比較して、給湯用熱交換器３が供給する熱量を推定算出する点が異なる。なお、第１の実施形態と同様の部分については、同一の符号をつけ、その説明を省略する。
【００９６】
本実施形態では、図２のステップＳ２４０において、制御装置１００は、下記の数式２に基づいて給湯用熱交換器３で供給される熱量推定値Ｑ２を算出する。
（数２）
Ｑ２＝（Ｂ×Ｎ／ＮＳ）×ＱＳ
ここで、Ｎは現時点におけるポンプ１６ａ回転数、ＮＳは温度サーミスタ７が検出した外気温ＴＯおよび操作盤１１０で設定された給湯設定温度ＴＳから定まるヒートポンプ装置１安定運転時のポンプ１６ａ回転数、ＱＳはヒートポンプ装置１安定運転時の供給熱量、Ｂは定数である。
【００９７】
外気温や給湯設定温度が短時間のうちに大きく変化することはほとんどないため、初回の運転条件の判定を行なった後は、ポンプ回転数Ｎのみにて、供給熱量推定値ＱＳを算出することが可能である。
【００９８】
このように、比較的簡便な計算により供給熱量推定値ＱＳを算出でき、給湯用熱交換器３で供給される実熱量を算出する必要がないので、制御をシンプルにすることが可能である。
【００９９】
（第３の実施形態）
次に、第３の実施形態について、図７に基づいて説明する。
【０１００】
本第３の実施形態は、前述の第１の実施形態と比較して、給湯装置の構成および給湯用熱交換器に流入する水の流量を調節する手段が異なる。なお、第１の実施形態と同様の部分については、同一の符号をつけ、その説明を省略する。
【０１０１】
図７に示すように、導入管１２には、導入管１２を流れる水の流量を調節する流量調節弁１２ａが設けられている、
導入管１２の流量調節弁１２ａより下流側には、配管２６の上流端が接続し、その下流端は、循環回路１６のポンプ１６ａより下流側かつ給湯用熱交換器３の水流路３ｂより上流側に接続している。
【０１０２】
この配管２６には逆止弁２７が設けられており、ヒートポンプ装置１が沸き上げた湯を給湯配管１９から直接出湯するときに、導入管１２から給湯用熱交換器３に直接水道水を供給できるようになっている。配管２６は、給湯用熱交換器３に対し、貯湯タンク１０をバイパスして冷媒と熱交換する水を供給する給水配管である。
【０１０３】
本実施形態の制御フローの図示は省略しているが、制御装置１００は、図２に示すステップＳ２２０に相当するステップではポンプ１６ａを運転せず、ステップＳ２４０に相当するステップでは、流量調節弁１２ａが調節した流量を用いて供給熱量を算出している。
【０１０４】
制御装置１００は、具体的には、下記の数式３に基づいて給湯用熱交換器３で供給される熱量Ｑを算出する。
（数３）
Ｑ＝Ｃ×（Ｔ２−Ｔ１）×Ｌ
ここで、Ｔ１は温度サーミスタ３０が検出した給水温度、Ｔ２は温度サーミスタ３１が検出した沸き上げ温度、Ｌは流量調節弁１２ａの開度、Ｃは定数である。
【０１０５】
このように、ステップＳ２４０では、給湯用熱交換器３に流入する水の温度、給湯用熱交換器３により沸き上げられた湯の温度、および給湯用熱交換器３に流入する水の流量の関連値に基づいて、給湯用熱交換器３で供給される熱量を直接算出している。
【０１０６】
そして、図２に示すステップＳ２５０に相当するステップにおいて、流量調節弁１２ａの開度を調節して、給湯用熱交換器３で供給される熱量の上昇に伴ない給湯用熱交換器３に流入する水の流量を増加させている。
【０１０７】
流量調節弁１２ａは、本実施形態における第１流量調節手段に相当する。上述の構成および作動によっても、第１の実施形態と同様の効果を得ることができる。
【０１０８】
（第４の実施形態）
次に、第４の実施形態について図８に基づいて説明する。
【０１０９】
本第４の実施形態は、前述の第１の実施形態と比較して、ヒートポンプ装置１起動後の時間に基づいて第２流量調節手段であるバルブ１７の制御を切り替える点が異なる。なお、第１の実施形態と同様の部分については、同一の符号をつけ、その説明を省略する。
【０１１０】
図８に制御手段の制御動作フローを示すように、本実施形態では、制御装置１００は、第１の実施形態と同様にステップＳ２２０を実行して、ヒートポンプ装置１の運転を開始もしくは継続したら、ヒートポンプ装置１起動後（運転開始後）の時間をカウントするタイマーが作動中であるか否か判断する（ステップＳ３１０）。
【０１１１】
ステップＳ３１０でタイマーが作動中でないと判断した場合、換言すればステップＳ２２０でヒートポンプ装置１の運転を開始した場合には、タイマー時間（バルブ１７の制御を切り替える所定時間）の設定を行ない（ステップＳ３２０）、タイマーを起動する（ステップＳ３３０）。
【０１１２】
ヒートポンプ装置１の加熱能力の立ち上がり時間は、外気温等の運転環境でほぼ一定の値となる。そこで、制御装置１００は、ステップＳ３２０において、外気温およびその関連値の少なくとも１つを用いて、タイマー時間（バルブ１７の制御を切り替える所定時間）の設定を行なう。
【０１１３】
本例では、温度サーミスタ７が検出した外気温の値のみを参照して前記所定時間の設定を行なっている。外気温を直接用い、複数の値を参照することなくタイマー時間を設定しているので、設定が容易であるとともに、以下の制御精度を向上することが容易である。
【０１１４】
外気温の関連値としては、例えば日時データや月日データ等を採用して、設定を一層容易にすることができる。また、前記所定時間を一定時間として、設定をさらに容易にすることも可能である。
【０１１５】
ステップ３３０を実行してタイマーを起動したら、ステップＳ２５０で、第１の実施形態と同様に、給湯用熱交換器３で供給される熱量の上昇に伴ない給湯用熱交換器３に流入する水の流量が増加するように、ポンプ１６ａの運転制御を行なう。なお、ステップＳ２５０では、熱量によらずタイマーカウント（経過時間）の増加に応じて、給湯用熱交換器３に流入する水の流量が増加するようにポンプ１６ａを運転制御するものであってもよい。
【０１１６】
ステップＳ３１０においてタイマーが作動中であると判断した場合には、ステップＳ３２０、Ｓ３３０をパスして、ステップＳ２５０へ進む。
【０１１７】
ステップＳ２５０を実行したら、タイマーがステップＳ３２０で設定した所定時間経過したか否か判断する（ステップＳ３４０）。所定時間経過していない場合にはステップＳ２７０へ進み、所定時間経過した場合にはステップＳ２８０へ進む。
【０１１８】
上述の構成および作動によれば、制御装置１００は、給湯用熱交換器３で供給される熱量が増加するに伴ない、給湯用熱交換器３を通過する水流量を増加するようにポンプ１６ａを制御するので、給湯用熱交換器３による沸き上げ温度を比較的高温で安定させることができる。
【０１１９】
このような沸き上げ運転を行なっているときには、ヒートポンプ装置１の加熱能力が充分に上昇しておらず給湯用熱交換器３で供給できる熱量が少ない場合には、沸き上げ湯量は少なく、ヒートポンプ装置１の加熱能力が上昇して給湯用熱交換器３で供給できる熱量が増加した場合には、沸き上げ湯量は多くなる。
【０１２０】
これに対し、制御装置１００は、ヒートポンプ装置１による沸き上げ運転を開始してから所定時間経過する以前には、バルブ１７をステップＳ２７０の第１モードで制御して、給湯用熱交換器３からの湯に貯湯タンク１０から比較的多量の湯を混合する。また、ヒートポンプ装置１による沸き上げ運転を開始してから所定時間経過した後には、バルブ１７をステップＳ２８０の第２モードで制御して、第１モード制御より貯湯タンク１０からの湯の流量を減少する。
【０１２１】
したがって、ヒートポンプ装置１による沸き上げ運転を開始してからの時間に応じて給湯用熱交換器３で供給できる熱量が変化しても、給湯用熱交換器３からの湯と貯湯タンク１０からの湯との混合量（合計量）を変化させ難い。このようにして、出湯温度を安定させつつ、出湯湯量を安定化することができる。
【０１２２】
（他の実施形態）
上記第１の実施形態では、第１流量調節手段はポンプ１６ａであり、制御装置１００は給湯用熱交換器３における供給熱量を直接算出（実熱量を算出）していた。また、第２の実施形態では、第１流量調節手段はポンプ１６ａであり、制御装置１００は給湯用熱交換器３における供給熱量を推定算出していた。また、第３の実施形態では、第１流量調節手段は流量調節弁１２ａであり、制御装置１００は給湯用熱交換器３における供給熱量を直接算出していた。また、第４の実施形態では、第１流量調節手段はポンプ１６ａであり、制御装置１００は給湯用熱交換器３の供給熱量に関連するヒートポンプ装置１起動後の所定時間を算出していた。
【０１２３】
本発明の適用は、上記各実施形態に限定されるものではなく、第１流量調節手段と熱量もしくは時間の算出方法とは、他の組み合わせであってもかまわない。例えば、上記第３の実施形態のように流量調節弁１２ａを第１流量調節手段とした給湯装置において、上記第２の実施形態のように熱量を推定算出するものであってもかまわない。
【０１２４】
また、本発明の適用は上記各実施形態の構成の給湯装置に限定されるものではなく、使用側端末への出湯時に、ヒートポンプ装置で沸き上げた湯に、貯湯タンク内の湯を適宜混合可能な給湯装置であれば、本発明を適用して有効である。例えば、上記第３の実施形態で説明した流量調節弁１２ａは、導入管１２ではなく、配管２６に設けるものであってもよい。また、上記各実施形態で説明した第２流量調節手段はバルブ１７であったが、配管１８ａに設けた流量調節弁であってもよい。
【０１２５】
また、上記第２の実施形態では、制御装置１００は、温度サーミスタ７が検出した外気温および操作盤１１０で設定された給湯設定温度から定まるヒートポンプ装置１安定運転時のポンプ１６ａ回転数を用いて、給湯用熱交換器３で供給される熱量を推定算出していたが、外気温度、外気温度関連値、給湯設定温度、給湯設定温度関連値の少なくとも１つ以上を用いて、給湯用熱交換器３で供給される熱量を推定算出するものであればよい。これによると、給湯用熱交換器３で供給される実熱量を算出する必要がないので、制御をシンプルにすることが可能である。
【０１２６】
外気温および給湯温度の少なくともいずれかの関連値としては、給湯用熱交換器３に流入する水の温度、給湯用熱交換器に沸き上げられた湯の温度、給湯用熱交換器３に流入する水の流量、圧縮機２の回転数（周波数）、減圧装置（減圧手段）４の減圧量等がある。
【図面の簡単な説明】
【０１２７】
【図１】本発明を適用した第１の実施形態におけるヒートポンプ式給湯装置の概略構成を示す模式図である。
【図２】第１の実施形態における制御装置１００の給湯時の概略制御動作を示すフローチャートである。
【図３】第１の実施形態におけるヒートポンプ式給湯装置の作動例を示すグラフであり、（ａ）は給湯用熱交換器３で沸き上げられる湯の流量、（ｂ）は貯湯タンク１０から混合される湯の流量、（ｃ）は両者の混合後の湯の流量を示している。
【図４】ヒートポンプ式給湯装置の作動変形例を示すグラフであり、（ａ）は給湯用熱交換器３で沸き上げられる湯の流量、（ｂ）は貯湯タンク１０から混合される湯の流量、（ｃ）は両者の混合後の湯の流量を示している。
【図５】ヒートポンプ式給湯装置の作動変形例を示すグラフであり、（ａ）は給湯用熱交換器３で沸き上げられる湯の流量、（ｂ）は貯湯タンク１０から混合される湯の流量、（ｃ）は両者の混合後の湯の流量を示している。
【図６】ヒートポンプ式給湯装置の作動変形例を示すグラフであり、（ａ）は給湯用熱交換器３で沸き上げられる湯の流量、（ｂ）は貯湯タンク１０から混合される湯の流量、（ｃ）は両者の混合後の湯の流量を示している。
【図７】第３の実施形態におけるヒートポンプ式給湯装置の概略構成を示す模式図である。
【図８】第４の実施形態における制御装置１００の給湯時の概略制御動作を示すフローチャートである。
【符号の説明】
【０１２８】
１  ヒートポンプ装置
２  圧縮機
３  給湯用熱交換器
４  減圧装置（減圧手段）
５  蒸発器（熱源用熱交換器）
７  温度サーミスタ（外気温度検出手段）
１０  貯湯タンク
１２ａ  流量調節弁（第１流量調節手段）
１６ａ  ポンプ（第１流量調節手段）
１７  バルブ（第２流量調節手段）
３０  温度サーミスタ（給水温度検出手段）
３１  温度サーミスタ（沸き上げ温度検出手段）
１００  制御装置（制御手段）
１１０  操作盤（給湯温度設定手段）
【図１】
0004513760.tif 000002
【図２】
0004513760.tif 000003
【図３】
0004513760.tif 000004
【図４】
0004513760.tif 000005
【図５】
0004513760.tif 000006
【図６】
0004513760.tif 000007
【図７】
0004513760.tif 000008
【図８】
0004513760.tif 000009